(57)【特許請求の範囲】
【請求項１】
監視カメラで制限区域を撮影した制限区域画像を用いて前記制限区域内の利用者を監視する画像監視装置であって、
前記制限区域に入場している利用者の識別情報を取得する識別情報取得部と、
前記制限区域画像の画像データを取得する画像取得部と、
前記制限区域画像中に設定される個別監視領域と前記利用者の識別情報とを対応させて、利用者別の領域情報として予め記憶する記憶部と、
前記制限区域に入場している利用者の識別情報に対応する個別監視領域を、前記制限区域画像中における監視領域として設定する監視領域設定部と、
前記制限区域画像中に設定された監視領域に生じる変動に基づき、前記制限区域内における異常の有無を判定する異常判定部と、
を備え、
前記監視領域設定部は、
前記制限区域に複数の利用者が入場している場合には、各々の利用者の識別情報に対応した個別監視領域をアンド結合して得られる領域を、前記監視領域として設定することを特徴とした画像監視装置。
【請求項２】
前記監視領域設定部は、
前記制限区域から前記利用者が退出する場合には、前記利用者の退出から所定時間後に、現在入場している利用者に対応する個別監視領域に基づき新たな監視領域を再設定する請求項１に記載の画像監視装置。
【請求項３】
前記記憶部は、前記制限区域に設置された照明装置において各個別監視領域に対応する照明装置の情報を記憶し、
前記画像監視装置は、さらに、前記監視領域が設定されると該監視領域に対応した照明装置を点灯させる照明制御部を備える請求項１または２に記載の画像監視装置。
【請求項４】
制限区域への利用者の出入を管理する出入管理装置と、監視カメラで制限区域を撮影した制限区域画像を用いて前記制限区域内の利用者を監視する画像監視装置とを備えた監視システムであって、
前記出入管理装置は、
前記制限区域に出入可能な利用者の識別情報を記憶する認証情報記憶部と、
前記制限区域に入場する利用者および前記制限区域から退出する利用者が入力した識別情報を受け付ける識別情報受付部と、
前記利用者が入力した識別情報を照合して前記利用者の出入可否を判定する判定部と、
出入可と判定された利用者の識別情報を、前記画像監視装置に出力する出力部とを備え、
前記画像監視装置は、
前記出入管理装置から、前記出入可と判定された利用者の識別情報を取得する識別情報取得部と、
前記制限区域画像の画像データを取得する画像取得部と、
前記制限区域画像中に設定される個別監視領域と前記利用者の識別情報とを対応させて、利用者別の領域情報として予め記憶する記憶部と、
前記制限区域に入場している利用者の識別情報に対応する個別監視領域を、前記制限区域画像中における監視領域として設定する監視領域設定部と、
前記制限区域画像中に設定された監視領域に生じる変動に基づき、前記制限区域内における異常の有無を判定する異常判定部と、
を備え、
前記監視領域設定部は、
前記制限区域に複数の利用者が入場している場合には、各々の利用者の識別情報に対応した個別監視領域をアンド結合して得られる領域を、前記監視領域として設定することを特徴とした監視システム。
【発明の詳細な説明】
【技術分野】
【０００１】
本発明は、制限区域内の利用者を監視する機能を備えた画像監視装置に関し、特に、監視カメラで制限区域を撮影した画像を用いて適切に監視を行う技術に関する。
【背景技術】
【０００２】
従来、重要物や制限区域への利用者のアクセスを管理するために、ＩＤカードや生体情報による認証を用いて利用者の出入を管理する技術が広く利用されている。そして、このような技術に関連して、認証を行なって利用者が管理区画に入室した際には、その管理区画内を撮影するカメラシステムを用いて、管理区画内での利用者の不正行為をカメラ画像で監視する入退室管理システムが提案されている（例えば特許文献１参照）。
【先行技術文献】
【特許文献】
【０００３】
【特許文献１】特開２００７−１０２５７０号公報
【発明の概要】
【発明が解決しようとする課題】
【０００４】
しかしながら、従来の入退室管理システムでは、管理対象となる区画の単位（例えば、部屋単位）で、その区画への出入の可否（例えば、ある部屋への入室可否）が判定される。したがって、ある一つの部屋の中で様々な場所に各種の重要物や保管物が保管されている場合に、その重要物や保管物への利用者のアクセスを管理するには十分でない。
【０００５】
例えば、複数の部門（財務部門と経理部門など）が同居するオフィス空間や、複数のロッカーが配置されたロッカー室など、利用者ごとにアクセス権限を有する範囲だけアクセスを許容することが必要とされる状況が存在する。このような場合、部門ごとやロッカーごとにパーティションなどで物理的に区切って利用者の出入制限を行えば、適切にアクセスを制限することが可能となる。しかし、その場合には、部門の移転や部屋のレイアウト変更の都度工事が発生するという問題があり、また、部屋の間取りによってはパーティションの設置自体が困難なこともある。
【０００６】
このように、ある一つの部屋（管理区画）の中で様々な場所に各種の重要物や保管物が保管されている場合に、従来の入退室管理システムでは、カメラシステムでその部屋の中の利用者の行動を撮影することで、利用者の不正な行為を監視しようとしているが、そのためには、監視員がカメラ画像を常時監視する必要があり、監視負担の増大を招いてしまう。
【０００７】
本発明は、上記の課題に鑑みてなされたもので、物理的なパーティションを用いることなく、監視者による常時監視の負担を軽減して、各自の権限に応じた監視を実現できる画像監視装置を提供することを目的とする。
【課題を解決するための手段】
【０００８】
本発明の画像監視装置は、監視カメラで制限区域を撮影した制限区域画像を用いて前記制限区域内の利用者を監視する画像監視装置であって、前記制限区域に入場している利用者の識別情報を取得する識別情報取得部と、前記制限区域画像の画像データを取得する画像取得部と、前記制限区域画像中に設定される個別監視領域と前記利用者の識別情報とを対応させて、利用者別の領域情報として予め記憶する記憶部と、前記制限区域に入場している利用者の識別情報に対応する個別監視領域を、前記制限区域画像中における監視領域として設定する監視領域設定部と、前記制限区域画像中に設定された監視領域に生じる変動に基づき、前記制限区域内における異常の有無を判定する異常判定部と、を備えている。
【０００９】
これにより、制限区域に利用者が出入（入場または退出）すると、識別情報取得部によってその利用者の識別情報が取得される。監視カメラで制限区域を撮影した画像（制限区域画像）中には、利用者ごとに監視を行うべき領域（その利用者のアクセスが禁止された領域）が設定されており、制限区域に入場している利用者の識別情報に対応する個別監視領域が、制限区域画像中における監視領域として設定される。例えば、制限区域に入場している利用者が１人である場合には、その利用者の個別監視領域が監視領域として設定され、制限区域に入場している利用者が複数人である場合には、それら複数の利用者の個別監視領域を結合した領域が監視領域として設定される。そして、制限区域画像中の監視領域に変動が生じると、制限区域内において異常があったと判定される。このように、本発明によれば、制限区域を撮影した画像中に利用者別の監視領域を設定することによって、制限区域内における利用者の行動を監視することができる。すなわち、制限区域内に物理的なパーティションを設けるのではなく、制限区域を撮影した画像中に仮想的なパーティションを設けることによって、制限区域（全体の領域）を利用者ごとに監視を行うべき領域（部分的な領域）に分割して、その領域（監視領域）の利用者の行動を監視することができる。したがって、制限区域内の利用者を監視するときに、監視員がモニタで常時監視をする負担が軽減される。しかも、この監視領域は、制限区域に入場している利用者に応じて動的にレイアウトを変更することができる。すなわち、仮想的なパーティションは、物理的なパーティションと異なり、設置のための工事が不要であり、また、制限区域の間取りなどの制限も受けないため、制限区域に入場している利用者に応じて容易に設置しなおすことができる。このように、本発明によれば、物理的なパーティションを用いることなく、監視者による常時監視の負担を軽減して、利用者ごとのアクセス権限に応じた監視を実現することができる。
【００１０】
また、本発明の画像監視装置では、前記監視領域設定部は、前記制限区域に複数の利用者が入場している場合には、各々の利用者の識別情報に対応した個別監視領域をアンド結合して得られる領域を、前記監視領域として設定してもよい。
【００１１】
これにより、制限区域に入場している利用者が複数人である場合には、それら複数の利用者の個別監視領域（各利用者のアクセスが禁止された領域）をアンド結合（論理積）して、それぞれの個別監視領域間で重複する部分を抽出することによって得られる領域を、監視領域として設定する。この監視領域は、換言すれば、各利用者のアクセスが許可された領域をオア結合（論理和）することによって得られる領域であるともいえる。このようにして、制限区域に入場している利用者が複数人である場合に、監視領域の設定を好適に行うことができる。
【００１２】
また、本発明の画像監視装置では、前記監視領域設定部は、前記制限区域から前記利用者が退出する場合には、前記利用者の退出から所定時間後に、現在入場している利用者に対応する個別監視領域に基づき新たな監視領域を再設定してもよい。
【００１３】
これにより、制限区域から利用者が退出すると、その利用者の個別監視領域を除いた設定条件により監視領域（新たな監視領域）が再設定される。この新たな監視領域の再設定は、利用者の退出から所定時間後（例えば３０秒後）に行われるので、制限区域に他の利用者が残っている場合には、その利用者（残っている利用者）に監視領域の再設定が行われたことを報知するための時間的な余裕を確保できる。したがって、制限区域に残っている利用者が監視領域が再設定されたことを知らずに監視領域に入ってしまい、異常発生として誤検出・誤発報されるのを低減することができる。この再設定の報知は、例えば、スピーカーから音声で行ってもよく、ディスプレイに映像として表示してもよい。
【００１４】
また、本発明の画像監視装置では、前記記憶部は、前記制限区域に設置された照明装置において各個別監視領域に対応する照明装置の情報を記憶し、前記画像監視装置は、さらに、前記監視領域が設定されると該監視領域に対応した照明装置を点灯させる照明制御部を備えてもよい。
【００１５】
これにより、監視領域が設定されると、その監視領域に対応した照明装置が点灯されるので、制限区域内の利用者は、どの領域が監視領域として設定されたのかを照明の有無によって知ることができる。ここで、監視領域に対応した照明装置の点灯とは、例えば、監視領域以外の領域（利用者のアクセスが許可された領域）の照明装置をオンにして、監視領域（利用者のアクセスが禁止された領域）の照明装置をオフにすることをいう。また、監視領域以外の領域（利用者のアクセスが許可された領域）の照明装置を白色光で点灯し、監視領域（利用者のアクセスが禁止された領域）の照明装置を赤色光などで点灯してもよい。
【００１６】
本発明の監視システムは、制限区域への利用者の出入を管理する出入管理装置と、監視カメラで制限区域を撮影した制限区域画像を用いて前記制限区域内の利用者を監視する画像監視装置とを備えた監視システムであって、前記出入管理装置は、前記制限区域に出入可能な利用者の識別情報を記憶する認証情報記憶部と、前記制限区域に入場する利用者および前記制限区域から退出する利用者が入力した識別情報を受け付ける識別情報受付部と、前記利用者が入力した識別情報を照合して前記利用者の出入可否を判定する判定部と、出入可と判定された利用者の識別情報を、前記画像監視装置に出力する出力部とを備え、前記画像監視装置は、前記出入管理装置から、前記出入可と判定された利用者の識別情報を取得する識別情報取得部と、前記制限区域画像の画像データを取得する画像取得部と、前記制限区域画像中に設定される個別監視領域と前記利用者の識別情報とを対応させて、利用者別の領域情報として予め記憶する記憶部と、前記制限区域に入場している利用者の識別情報に対応する個別監視領域を、前記制限区域画像中における監視領域として設定する監視領域設定部と、前記制限区域画像中に設定された監視領域に生じる変動に基づき、前記制限区域内における異常の有無を判定する異常判定部と、を備えている。
【００１７】
このシステムによっても、上記の装置と同様、物理的なパーティションを用いることなく、監視者による常時監視の負担を軽減して、利用者ごとのアクセス権限に応じた監視を実現することができる。
【発明の効果】
【００１８】
本発明によれば、制限区域に入場している利用者に応じて適切に監視領域を設定することにより、物理的なパーティションを用いる必要がなく、監視者による常時監視の負担を軽減することができ、利用者ごとのアクセス権限に応じた監視を容易に実現することが可能となる。
【図面の簡単な説明】
【００１９】
【図１】本発明の実施の形態における監視システムの概要図である。
【図２】本発明の実施の形態における出入管理装置の構成を示すブロック図である。
【図３】本発明の実施の形態における画像監視装置の構成を示すブロック図である。
【図４】（ａ）管理テーブルの一例を示した図である。  （ｂ）エリアテーブルの一例を示した図である。
【図５】（ａ）ユーザ領域情報の一例を示した図である。  （ｂ）在室者情報の一例を示した図である。  （ｃ）監視設定情報の一例を示した図である。  （ｄ）照明情報の一例を示した図である。
【図６】制限区域画像の一例を示した図である。
【図７】（ａ）ロッカーＡの利用者Ａの個別監視領域の例を示した図である。  （ｂ）ロッカーＢの利用者Ｂの個別監視領域の例を示した図である。  （ｃ）ロッカーＣの利用者Ｃの個別監視領域の例を示した図である。
【図８】利用者Ａと利用者Ｂが入室している場合に設定される監視領域の例を示した図である。
【図９】本発明の実施の形態における監視システムの動作を説明するためのフロー図である。
【図１０】監視設定処理の流れを説明するためのフロー図である。
【発明を実施するための形態】
【００２０】
以下、本発明の実施の形態の監視システムについて、図面を用いて説明する。本実施の形態では、複数のロッカーが配置されたロッカー室の画像監視に用いられる監視システムの場合を例示するが、本発明の範囲はこれに限定されるものではない。
【００２１】
（監視システム）
図１は、本実施の形態の監視システムの概略図である。図１に示すように、監視システム１では、制限区域（制限エリア、単にエリアともいう）の境界には、エリア間の移動を規制する電気錠付きのドア２が設置されており、このドア２の近傍には、各エリアに出入りする利用者が所持するＩＤカード（図示せず）から利用者の識別コード（個人識別情報）を読み取るカードリーダ３が設置されている。図１の例では、二つのエリア（エリアＡの「廊下」とエリアＢの「ロッカー室」）が示されており、ロッカー室の室内側（エリアＢ側）と室外側（エリアＡ側）に、それぞれ１つずつカードリーダ３が設定されている。この場合、１つの電気錠付きドア２と、二つのカードリーダ３が１組となって設置されているともいえる。
【００２２】
そして、この電気錠付きドア２とカードリーダ３には、電気錠１１の制御を行う電気錠制御装置４が接続されている。この電気錠制御装置４は、各電気錠付きドア２に設けられて利用者の出入をドア２ごとに個別管理できるように構成されていてもよく、また、複数の電気錠付きドア２にまとめて一つ設けられて利用者の出入を集中管理できるように構成されていてもよい。
【００２３】
また、図１に示すように、電気錠制御装置４は、エリア内の利用者を監視する画像監視装置５に接続されており、画像監視装置５は、ロッカー室（エリアＢ）を撮影する監視カメラ６に接続されている。また、この画像監視装置５は、ロッカー室（エリアＢ）の天井に設置された照明装置７（照明Ａ１〜照明Ｄ２）にも接続されている。さらに、この画像監視装置５は、監視センター８の監視卓に設置された監視用端末９にも接続されており、監視センター８の監視員は、監視用端末９のモニタでロッカー室内での利用者の行動を画像で監視することができる。
【００２４】
これらの電気錠付きドア２とカードリーダ３と電気錠制御装置４は、制限区域であるロッカー室への利用者の出入を管理する出入管理装置１０を構成している。つまり、本実施の形態の監視システム１は、出入管理装置１０と画像監視装置５を備えているともいえる。以下、図２および図３を参照しながら、出入管理装置１０と画像監視装置５の構成について詳しく説明する。
【００２５】
（出入管理装置）
ここでは、まず、出入管理装置１０の構成について説明する。図２は、出入管理装置１０の構成を示すブロック図である。上述のように、出入管理装置１０は、電気錠付きのドア２と、二つのカードリーダ３と、電気錠制御装置４で構成されている。図２に示すように、ドア２は、電気錠１１を備えている。この電気錠１１は、通常時は施錠状態に維持されており、電気錠制御装置４からの解錠信号を受けた場合に所定時間だけ解錠される。これによって、利用者は、所持しているＩＤカードに記憶されている識別コードをカードリーダ３に読み込ませないと、エリア間を移動できないようになっている。利用者が、カードリーダ３に識別コードを読み込ませると、カードリーダ３は読み取った識別コードを電気錠制御装置４に送信して認証要求し、電気錠制御装置４は受信した識別コードを照合して認証ＯＫであれば電気錠１１を解錠する。
【００２６】
力―ドリーダは、ＭＰＵやマイコンなどで構成される制御部１２と、ＩＤカードから利用者の識別コードを読み取る読取部１３と、読み取った識別コードや自己のアドレス情報などを記憶する記憶部１４と、読み取った識別コードの認証結果などを表示する表示部１５と、電気錠制御装置４との通信を行う通信インターフェース１６（通信Ｉ／Ｆ）を備えている。カードリーダ３は、ＩＤカードに記憶されている利用者の識別コードを読み取ると、読取った識別コードを自己アドレス情報とともに電気錠制御装置４へと送信する。
【００２７】
なお、ＩＤ力―ドは、磁気力―ド、ＩＣ力―ドまたは無線力―ド（無線送信機）等の何れでもよいが、システムを利用する上では、非接触式の力―ドであることが好ましい。また、読取部１３は、ＩＤ力―ドの代わりに、個人の指紋、掌紋、声紋、虹彩等のバイオメトリクス情報を読み取ることも可能であり、読み取った情報を個人を識別する識別コードとして用いてもよい。
【００２８】
また更に、読取部１３は、ＩＤカードの代わりに利用者が所持するＲＦＩＤタグの識別情報を読み取るＲＦＩＤタグリーダとすることも可能であり、特にこの場合には、ＲＦＩＤタグリーダの検出範囲を制限エリア内とすることで、制限エリア内に設置される１台のタグリーダでエリア内への入室者とエリアからの退出者の双方を検出できる。
【００２９】
電気錠制御装置４は、ＭＰＵやマイコンなどで構成される制御部１７と、ＨＤＤやメモリなどで構成される記憶部１８と、カードリーダ３や画像監視装置５との通信を行う通信インターフェース１９（通信Ｉ／Ｆ）と、電気錠付きドア２の電気錠１１を制御する電気錠制御部２０を備えている。制御部１７は、機能モジュールとして、利用者が読み込ませた識別コードをカードリーダ３から受け付ける識別情報受付部２１と、この識別コード（利用者が読み込ませた識別コード）を照合して利用者の入退室の可否を判定する判定部２２を備えている。また、記憶部１８には、管理テーブルやエリアテーブルなどの管理情報や、各種の処理プログラムやパラメータやデータなどが記憶されている。
【００３０】
図４（ａ）は、管理テーブルの一例を示した図である。管理テーブルは、カードリーダ３や区域毎に対応して用意される資格情報を示すテーブルであり、この例では、制限区域（ロッカー室）に出入可能な利用者の識別コードが記録されたテーブルである。したがって、この記憶部１８は、本発明の認証情報記憶部に相当する。図４（ａ）の例では、３人の利用者（利用者Ａ、Ｂ、Ｃ）の識別情報（ＸＸＸＸＸ、ＹＹＹＹＹ、ＺＺＺＺＺ）が、管理テーブルとして記憶部１８に記憶されている。
【００３１】
図４（ｂ）は、エリアテーブルの一例を示した図である。エリアテーブルは、カードリーダ３のアドレスコードと、そのカードリーダ３を管理する電気錠制御装置４（または、カードリーダ３に対応する電気錠１１）のアドレスコードと、そのカードリーダ３が設置されているエリア（所在エリア）と、そのカードリーダ３を操作した後の移動先エリア（そのカードリーダ３に対応する電気錠付き扉により通行規制されるエリア）を、予め対応付けたテーブルである。図４（ｂ）の例では、廊下側のカードリーダ３のアドレスコード「ＣＲ１」と、電気錠制御装置４のアドレスコード「Ｄ１」と、所在エリア「エリアＡ（廊下）」と、移動先エリア「エリアＢ（ロッカー室）」が対応付けられている。
【００３２】
電気錠制御装置４は、カードリーダ３から受信した利用者の識別コードを、管理テーブルと照合する。照合の結果、その利用者の識別コードが、管理テーブルに登録された識別コードと一致しない場合には、認証ＮＧと判定して、電気錠１１を解錠せず、認証結果をカードリーダ３に送信して処理を終了する。そして、カードリーダ３は、認証ＮＧの認証結果を表示部１５より出力する。
【００３３】
一方、照合の結果、その利用者の識別コードが、管理テーブルに登録された識別コードと一致した場合には、認証ＯＫと判定し、対応する電気錠１１に解錠信号を出力するとともに、認証結果をカードリーダ３に送信する。そして、カードリーダ３は、認証ＯＫの認証結果を表示部１５より出力する。また、受信した識別コードが認証ＯＫと判定されると、電気錠制御装置４は、通信インターフェース１９を介して、画像監視装置５にその利用者の識別コードを送信する。この通信インターフェース１９は、本発明の出力部に相当する。
【００３４】
（画像監視装置）
つぎに、画像監視装置５の構成について説明する。図３は、画像監視装置５の構成を示すブロック図である。図３に示すように、画像監視装置５は、ＭＰＵやマイコンなどで構成される制御部２３と、ＨＤＤやメモリなどで構成される記憶部２４と、監視カメラ６から制限区域画像の画像データを取得する画像取得部２５と、出入管理装置１０から認証ＯＫと判定された利用者の識別コードを取得する識別情報取得部２６と、照明装置７や監視センター８との通信を行う外部機器インターフェース２７（外部機器Ｉ／Ｆ）を備えている。
【００３５】
画像取得部２５は、監視カメラ６から画像データを受信する機能を備えている。監視カメラ６から入力された画像データは、制御部２３へと出力される。なお、本実施の形態では、監視カメラ６と画像監視装置５が別装置である場合を例示したが、本発明の範囲はこれに限定されるものではなく、画像監視装置５は、監視カメラ６を内蔵していてもよい。
【００３６】
識別情報取得部２６は、出入管理装置１０と接続されており、画像監視装置５が設置された制限エリアに入室した利用者の識別コードや、退室した利用者の識別コードを受信する機能を備えている。出入管理装置１０から受信した識別情報は、制御部２３に出力される。
【００３７】
外部機器インターフェース２７は、制限エリアに設置された照明装置７と接続される。照明装置７は、例えば制限エリアの天井に設置された天井照明であり、制限エリアの室内において照明する単位ごとにスイッチでオン／オフ可能となっている。外部機器インターフェース２７は、照明装置７の照明単位毎にオン信号／オフ信号を送信する。
【００３８】
記憶部２４には、ユーザ領域情報と、在室者情報と、監視設定情報と、照明情報などの情報が記憶されている。ユーザ領域情報は、制限区域画像中に設定される個別監視領域と利用者の識別コードとを対応付けたものであり、本発明の利用者別の領域情報に相当する。個別監視領域は、制限区域画像においてその利用者の進入が許可されない範囲であり、制限エリアにおける利用者のアクセス権限や必要行動範囲などを考慮して設定される（図７参照）。
【００３９】
ユーザ領域情報には、制限エリアに入室する可能性のある全ての利用者について、個別監視領域が設定されて記憶される。図５（ａ）は、ユーザ領域情報の一例を示した図であるが、この例では、利用者Ａの識別コード「ＸＸＸＸＸ」と利用者Ａの個別監視領域「領域Ａ」とが対応付けられており、利用者Ｂの識別コード「ＹＹＹＹＹ」と利用者Ｂの個別監視領域「領域Ｂ（領域Ｂ１、領域Ｂ２）」とが対応付けられており、利用者Ｃの識別コード「ＺＺＺＺＺ」と利用者Ｃの個別監視領域「領域Ｃ（領域Ｃ１、領域Ｃ２）」とが対応付けられている。
【００４０】
なお、これとは逆に、進入が許可される範囲（例えば、図７の斜線部分の範囲）を記憶しておくことによって、進入が許可されない範囲（例えば、図７の太線で囲んだ範囲）を識別できるようにしてもよい。また、この個別監視領域の指定は、画像データを複数の小領域に分割した上で該当する小領域を指定することで実現することも可能であり、また、予め画像データに設定された複数のパターンから該当するパターンを選択することによって実現することも可能である。
【００４１】
在室者情報には、出入管理装置１０から受信される入室した利用者の識別コードおよび退室した利用者の識別コードから、現在制限エリアに在室している利用者（在室者）の識別コードが記憶される。図５（ｂ）は、在室者情報の一例を示した図であるが、この例では、利用者Ａ、Ｂ、Ｃが入室し、利用者Ｃが退室しているので、利用者Ａ、Ｂの識別コード「ＸＸＸＸＸ、ＹＹＹＹＹ」が在室者情報として記憶されている。
【００４２】
監視設定情報には、制御部２３にて設定された現在の制限区域画像における監視領域の情報が記憶される。監視領域の設定については、図面を参照しながら後述する。図５（ｃ）は、監視設定情報の一例を示した図であるが、この例では、利用者Ａ、Ｂが在室している場合に設定された監視領域の情報として「領域Ｂ２」が記憶されている。
【００４３】
照明情報には、各個別監視領域に対応する照明装置７の単位と、各照明単位の現在のオン／オフ状態が記憶される。図５（ｄ）は、照明情報の一例を示した図であるが、この例では、個別監視領域「領域Ａ」に対応する照明装置７の単位「照明Ａ１、Ａ２」と、現在のオン／オフ状態「照明Ａ１：オン、照明Ａ２：オン」が記憶されている。また、個別監視領域「領域Ｂ」に対応する照明装置７の単位「照明Ｂ１、Ｂ２」と、現在のオン／オフ状態「照明Ｂ１：オン、照明Ｂ２：オン」が記憶されている。また、個別監視領域「領域Ｃ」に対応する照明装置７の単位「照明Ｃ１、Ｃ２」と、現在のオン／オフ状態「照明Ｃ１：オフ、照明Ｃ２：オフ」が記憶されている。
【００４４】
制御部２３は、機能モジュールとして、制限エリアに入室している利用者に応じて制限区域画像中における監視領域の設定を行う監視領域設定部２８と、制限区域画像中に設定された監視領域に生じる変動に基づいて制限区域における異常の有無を判定する異常判定部２９と、制限区域画像中に設定された監視領域に対応した照明装置７を点灯させる制御を行う照明制御部３０を備えている。
【００４５】
監視領域設定部２８は、識別情報取得部２６から、制限エリアに入室した利用者の識別コードや退室した利用者の識別コードを受信する度に、受信した識別コードに基づいて、記憶部２４の在室者情報を更新する。そして、現在の在室者情報に記憶された識別情報に対応する個別監視領域をユーザ領域情報から読み出して、制限区域画像中に監視領域を設定する。例えば、在室者が１人である場合にはこの利用者の個別監視領域が画像データの監視領域として設定される。また、複数人の在室者が存在する場合には、これら複数の利用者の個別監視領域を結合することで、制限区域画像中に監視領域を設定する。より具体的には、複数人の在室者が存在する場合、監視領域設定部２８は、各在室者の個別監視領域の論理積を求めてアンド結合して各個別監視領域間で重複する部分を抽出し、得られた領域を制限区域画像中の監視領域として設定する。換言すれば、監視領域は、各在室者の進入が許可される範囲の論理和を求めてオア結合することによって得られる領域であるともいえる。このようにして設定された監視領域の情報は、記憶部２４の監視設定情報に記憶される。
【００４６】
また、監視領域設定部２８は、制限エリアから利用者が退室する場合には、利用者の退室から所定時間後に、退室時に設定されていた現在の監視領域の設定条件から退室した利用者に対応する個別監視領域を除いた条件で設定される監視領域を、新たな監視領域として再設定する。つまり、制限エリアに残って在室している者の個別監視領域をアンド結合して監視領域が再設定される。例えば、この新たな監視領域の再設定は、利用者の退室から３０秒後に行われる。これにより、利用者（残っている利用者）に監視領域の再設定が行われたことを報知するための時間的な余裕が確保される。この再設定の報知は、例えば、スピーカーから音声で行ってもよく、ディスプレイ等への映像表示で行ってもよい。
【００４７】
異常判定部２９は、監視設定情報に記憶された監視領域の情報を参照し、画像取得部２５から入力された制限区域画像に設定される監視領域の変動から異常有無を判定する。例えば、制限区域画像に設定される監視領域を過去の画像データと比較して、輝度値の変動が所定以上であった変動画素からなる変動領域を抽出し、この変動領域が所定面積以上である場合に異常発生と判定する。変動領域の抽出方法は、直前の画像データとの差分によるフレーム間差分方式や、予め取得した画像データとの差分による背景差分方式など種々の方式が知られるところであり、ここでは詳しい説明を省略する。
【００４８】
照明制御部３０は、記憶部２４の在室者情報が更新されて監視設定情報に監視領域の情報が記憶されると、照明情報から対応する照明単位を読み出して、現在のオン／オフ状態と比較する。現在のオン／オフ状態と新たに設定された監視領域に対応する照明単位が異なれば、監視領域に対応した照明装置７を点灯させるように、照明装置７のオン／オフを制御する。ここで、監視領域に対応した照明装置７の点灯とは、例えば、監視領域以外の領域（利用者のアクセスが許可された領域）の照明装置７をオンにして、監視領域（利用者のアクセスが禁止された領域）の照明装置７をオフにすることをいう。このように監視領域に対応した照明装置７を点灯することによって、制限区域内の利用者に、どの領域が監視領域として設定されたのかを照明の有無によって知らせることができる。なお、ここでは、照明装置７を用いて、どの領域が監視領域として設定されたのかを利用者に知らせているが、音声を用いて利用者に知らせてよいのは言うまでもない。
【００４９】
ここで、監視カメラ６で撮影される制限区域画像と、利用者ごとの個別監視領域と、在室している利用者に応じて設定される監視領域について、図面を参照しながら説明する。以下では、ロッカー室に入室可能な３人の利用者（利用者Ａ、Ｂ、Ｃ）のうち、２人の利用者（利用者Ａ、Ｂ）がロッカー室に在室している場合を例として説明する。
【００５０】
図６は、制限区域画像の一例を示した図である。図６では、制限区域であるロッカー室を監視カメラ６で撮影した画像（制限区域画像）が例示されている。この画像には表れないが、図の左下部分には、制限区域（ロッカー室）に入室するためのドアが存在している。なお、図６の例では、利用者はロッカー室にだれも在室していない。
【００５１】
図７は、このような制限区域画像中に設定される個別監視領域の例を示す図である。図７（ａ）には、ロッカーＡ（左のロッカー）の利用者Ａの個別監視領域の例が示されている。この例では、ロッカーＢ（中央のロッカー）から右側の範囲（太線で囲んだ領域Ａ）が、利用者Ａの個別監視領域として設定されている。
【００５２】
また、図７（ｂ）には、ロッカーＢ（中央のロッカー）の利用者Ｂの個別監視領域の例が示されている。この例では、ロッカーＡ（左のロッカー）から左側の範囲（太線で囲んだ領域Ｂ１）とロッカーＣ（右のロッカー）から右側の範囲（太線で囲んだ領域Ｂ２）が、利用者Ｂの個別監視領域として設定されている。
【００５３】
また、図７（ｃ）には、ロッカーＣ（右のロッカー）の利用者Ｃの個別監視領域の例が示されている。この例では、ロッカーＢ（中央のロッカー）から左側の範囲（太線で囲んだ領域Ｃ１）とロッカーＣ（右のロッカー）から離れた右側の範囲（太線で囲んだ領域Ｃ２）が、利用者Ｃの個別監視領域として設定されている。
【００５４】
図８は、２人の利用者（利用者Ａ、Ｂ）がロッカー室に在室している場合に設定される監視領域の例を示した図である。図８に示すように、この場合には、利用者Ａの個別監視領域「領域Ａ」と利用者Ｂの個別監視領域「領域Ｂ」をアンド結合することによって、得られる領域「領域Ｂ２」が監視領域として設定される。なお、監視領域以外の領域（図８における斜線部分）は、監視センター８のモニタで暗く表示されるようにマスク処理されていてもよい。
【００５５】
以上のように構成された監視システム１について、図面を参照してその動作を説明する。
【００５６】
図９は、本発明の実施の形態における監視システム１の動作を説明するためのフロー図である。図９に示すように、監視システム１を用いて制限エリアの利用者を監視するときには、まず、画像監視装置５は、出入管理装置１０から識別コードを受信したか否かを判断し（Ｓ１）、制限エリアに入室可と判定された利用者の識別コードまたは制限エリアから退室する利用者の識別コードを受信している場合には、制限区域画像中に監視領域を設定または変更する処理（監視設定処理）を行なう（Ｓ２）。そして、監視設定処理を行なった結果、制限区域画像中に監視領域が設定されている場合には（Ｓ３）、その監視領域に変動があるか否かを判定し（Ｓ４）、監視領域に変動があった場合には、制限区域内で異常が発生したとして監視センター８へ異常出力を行う（Ｓ５）。
【００５７】
図１０は、上記の監視設定処理の流れを説明するためのフロー図である。監視設定処理では、出入管理装置１０から識別コードを受信すると、まず、画像監視装置５は、記憶部２４の在室者情報を更新する（Ｓ２０）。そして、在室者の有無を判定し（Ｓ２１）、在室者が無の場合には、制限区域画像の全体を監視領域に設定する（Ｓ２２）。一方、在室者が有の場合には、その在室者が監視対象者であるか否かの判定を行う（Ｓ２３）。そして、在室者が監視対象者でなければ監視領域の設定を解除する（Ｓ２４）。監視対象者でない在室者とは、例えば清掃業者や管理者などである。一方、在室者が監視対象者であった場合には、その在室者に対応する個別監視領域を読み出して（Ｓ２５）、在室者が１人である場合には（Ｓ２６）、その在室者の個別監視領域を監視領域として設定する（Ｓ２７）。一方、在室者が複数人である場合には、それらの在室者の個別監視領域をアンド結合することによって得られた領域を監視領域として設定する（Ｓ２８）。監視領域が設定されると、その監視領域に対応して照明装置７の点灯／消灯処理が行なわれる。また、利用者の退室に伴い、制限エリアに残っている利用者について監視領域が再設定される場合、この再設定は、利用者の退室から所定時間後（例えば３０秒後）に行われる。
【００５８】
このような本実施の形態の監視システム１によれば、制限エリア（ロッカー室）に入室している利用者に応じて制限区域画像中に監視領域を動的に設定することができるので、物理的なパーティションを用いる必要がなく、監視者による常時監視の負担を軽減することができ、利用者ごとのアクセス権限に応じた監視を容易に実現することが可能となる。
【００５９】
すなわち、本実施の形態では、制限エリアに利用者が出入（入室または退室）すると、識別情報取得部２６によってその利用者の識別コードが取得される。監視カメラ６で制限エリアを撮影した画像（制限区域画像）中には、利用者ごとに監視を行うべき領域（その利用者のアクセスが禁止された領域）が設定されており、制限エリアに入室している利用者の識別コードに対応する個別監視領域が、制限区域画像中における監視領域として設定される。例えば、制限エリアに入室している利用者が１人である場合には、その利用者の個別監視領域が監視領域として設定され（図７参照）、制限エリアに入室している利用者が複数人である場合には、それら複数の利用者の個別監視領域を結合した領域が監視領域として設定される（図８参照）。そして、制限区域画像中の監視領域に変動が生じると、制限エリア内において異常があったと判定される。
【００６０】
このように、本実施の形態では、制限エリアを撮影した画像中に利用者別の監視領域を設定することによって、制限エリア内における利用者の行動を監視することができる。すなわち、制限エリア内に物理的なパーティションを設けるのではなく、制限エリアを撮影した画像中に仮想的なパーティションを設けることによって、制限エリア（全体の領域）を利用者ごとに監視を行うべき領域（部分的な領域）に分割して、その領域（監視領域）の利用者の行動を監視することができる。したがって、制限エリア内の利用者を監視するときに、監視センター８の監視員がモニタで常時監視をする負担が軽減される。しかも、この監視領域は、制限エリアに入室している利用者に応じて動的にレイアウトを変更することができる。すなわち、仮想的なパーティションは、物理的なパーティションと異なり、設置のための工事が不要であり、また、制限エリアの間取りなどの制限も受けないため、制限エリアに入室している利用者に応じて容易に設置しなおすことができる。このように、本実施の形態では、物理的なパーティションを用いることなく、監視者による常時監視の負担を軽減して、利用者ごとのアクセス権限に応じた監視を実現することができる。
【００６１】
また、本実施の形態では、制限エリアに入室している利用者が複数人である場合には、それら複数の利用者の個別監視領域（各利用者のアクセスが禁止された領域）をアンド結合して、それぞれの個別監視領域間で重複する部分を抽出することによって得られる領域を、監視領域として設定する（図８参照）。この監視領域は、換言すれば、各利用者のアクセスが許可された領域をオア結合することによって得られる領域であるともいえる。このようにして、制限エリアに入室している利用者が複数人である場合に、監視領域の設定を好適に行うことができる。
【００６２】
また、本実施の形態では、制限エリアから利用者が退室すると、その利用者の個別監視領域を除いた条件で、すなわち現在の在室者の個別監視領域から監視領域（新たな監視領域）が再設定される。この新たな監視領域の再設定は、利用者の退室から所定時間後（例えば３０秒後）に行われるので、制限エリアに他の利用者が残っている場合には、その利用者（残っている利用者）に監視領域の再設定が行われたことを報知するための時間的な余裕を確保できる。したがって、制限エリアに残っている利用者が監視領域が再設定されたことを知らずに監視領域に入ってしまい、異常発生として誤検出・誤発報されるのを低減することができる。この再設定の報知は、例えば、スピーカーから音声で行ってもよく、ディスプレイに映像として表示してもよい。
【００６３】
また、本実施の形態では、監視領域が設定されると、その監視領域に対応した照明装置７が点灯されるので、制限エリア内の利用者は、どの領域が監視領域として設定されたのかを照明の有無によって知ることができる。ここで、監視領域に対応した照明装置７の点灯とは、例えば、監視領域以外の領域（利用者のアクセスが許可された領域）の照明装置７をオンにして、監視領域（利用者のアクセスが禁止された領域）の照明装置７をオフにすることをいう。また、監視領域以外の領域（利用者のアクセスが許可された領域）の照明装置７を白色光で点灯し、監視領域（利用者のアクセスが禁止された領域）の照明装置７を赤色光などで点灯してもよい。
【００６４】
以上、本発明の実施の形態を例示により説明したが、本発明の範囲はこれらに限定されるものではなく、請求項に記載された範囲内において目的に応じて変更・変形することが可能である。
【産業上の利用可能性】
【００６５】
以上のように、本発明にかかる画像監視装置は、物理的なパーティションを用いる必要がなく、監視者による常時監視の負担を軽減することができ、利用者ごとのアクセス権限に応じた監視を容易に実現することができるという効果を有し、制限区域内の利用者を画像で監視する監視システム等に適用することができ、有用である。
【符号の説明】
【００６６】
１  監視システム
２  ドア
３  カードリーダ
４  電気錠制御装置
５  画像監視装置
６  監視カメラ
７  照明装置
８  監視センター
９  監視用端末
１０  出入管理装置
１１  電気錠
１２  制御部
１３  読取部
１４  記憶部
１５  表示部
１６  通信インターフェース
１７  制御部
１８  記憶部
１９  通信インターフェース
２０  電気錠制御部
２１  識別情報受付部
２２  判定部
２３  制御部
２４  記憶部
２５  画像取得部
２６  識別情報取得部
２７  外部機器インターフェース
２８  監視領域設定部
２９  異常判定部
３０  照明制御部
【図１】
0005405340.tif 000002
【図２】
0005405340.tif 000003
【図３】
0005405340.tif 000004
【図４】
0005405340.tif 000005
【図５】
0005405340.tif 000006
【図６】
0005405340.tif 000007
【図７】
0005405340.tif 000008
【図８】
0005405340.tif 000009
【図９】
0005405340.tif 000010
【図１０】
0005405340.tif 000011